(57)【特許請求の範囲】
【請求項１】
ケース（１）の前面に取り付けられ、先端部（１８）が斜め方向にそがれていて中空管に形成された針（１７）と、トリガー（５）の操作により針（１７）の内部を前進して毛髪（Ｈ）を押し出すことができるプッシュ・ロッド（７）と、プッシュ・ロッド（７）の前進に連動して針（１７）に沿って前進し、針（１７）の先端部（１８）を植毛部位の定位置に保持することができる押え片（１３）とを備え、多数の円形の穴（２３）と多数の歯（２４）を設けた円盤（２２）をケース（１）の外部に回転自在に支持し、歯（２４）を１ピッチずつ送ることができる円盤送り機構（２１）を備えたことを特徴とする連続植毛機。
【発明の詳細な説明】
【０００１】
【発明の属する技術分野】
本発明は、負傷等により毛髪が失われた部分や毛髪の薄い部分等に連続的に植毛する連続植毛機に関するものである。
【０００２】
【従来の技術】
従来、頭部等の毛髪の薄い部分や負傷等により毛髪が失われた部分に、後頭部等のように毛髪が密生している部分から毛髪を採取し、これを１本ないし３本程度にばらばらにして植毛することが行われている。
しかしながら、医師が手作業により毛を１本ずつ植えていくのであるから手術に長時間を要するという不都合があった。
【０００３】
【発明が解決しようとする課題】
本発明は、かかる不都合を解消することを目指すものであって、短時間で植毛することができる連続植毛機を提供することを目的とする。
【０００４】
【課題を解決するための手段】
ケース（１）の前面に取り付けられ、先端部（１８）が斜め方向にそがれていて中空管に形成された針（１７）と、トリガー（５）の操作により針（１７）の内部を前進して毛髪（Ｈ）を押し出すことができるプッシュ・ロッド（７）と、プッシュ・ロッド（７）の前進に連動して針（１７）に沿って前進し、針（１７）の先端部（１８）を植毛部位の定位置に保持することができる押え片（１３）とを備え、多数の円形の穴（２３）と多数の歯（２４）を設けた円盤（２２）をケース（１）の外部に回転自在に支持し、歯（２４）を１ピッチずつ送ることができる円盤送り機構（２１）を備えたことを特徴とする。
【０００５】
【発明の実施の形態】
添付の図面を参照しつつ本発明の実施の形態を詳説する。
図１は本発明の連続植毛機が作動しない状態における側面図である。連続植毛機のケース１に細長い溝２が設けられ、溝２にスライダ３が摺動自在に嵌装されている。ケース１に固着された軸４の周りに揺動自在にトリガー５が設けられ、トリガー５の一端はスライダ３に係合しているので、トリガー５を操作することによりスライダ３を摺動させることができる。トリガー５は引張りばね６により牽引されているので、スライダ３は常時溝２の右端に位置している。
スライダ３には細長いプッシュ・ロッド７とＬ字形の作動杆８が設けられている。プッシュ・ロッド７は毛髪Ｈを押し出すロッドであり、作動杆８は押え機構９（後述する。）を作動させる杆である。
１０はケース１に固着されたグリップであり、グリップ１０にはトリガー５の後退動を制限するストッパ１１が設けられている。
【０００６】
次に、押え機構９の構成について説明する。ロッド１２の先端に押え片１３が取り付けられている。１４はロッド１２を常時後方（右方向）へ付勢するばねである。
ケース１の前面に前支柱１５が取り付けられ、前支柱１５には突出部１６が設けられ、突出部１６の外周におねじが刻設されている。細長い中空管に形成された針１７の先端部１８は斜め方向にそがれている。針１７の後方は大径部１９に形成され、大径部１９の後端にはつばが形成されている。２０は袋ナットで、大径部１９の後端のつばを押えて突出部１６のおねじに螺合して針１７を固定支持する。押え片１３には円孔が設けられていて針１７を貫通させ、ロッド１２はばね１４により後方（右方向）に付勢されているので、押え片１３は不作動時は針１７の大径部１９に当接している。
２１は円盤送り機構（後述する。）で、円盤２２には多数の円形の穴２３があけられている。円盤２２は合成樹脂製が望ましい。
【０００７】
図２は医師がトリガー５を引いて植毛を実行しているところを示す側面図であり、図２に付されている符号は図１に付されている符号と同一部材を指している。
トリガー５を反時計方向に揺動させると、スライダ３は溝２内を前方（左方向）へスライドし、スライダ３に固着されたプッシュ・ロッド７は前方（左方向）へ進行する。作動杆８はロッド１２を押すので、ロッド１２の先端に取り付けられた押え片１３は針１７に案内されて前方（左方向）へ移動する。
【０００８】
図３は円盤２２を１ピッチずつ回転させる円盤送り機構２１を前方から見た正面図である。
図４は円盤送り機構２１を矢印Ａ（図１をみよ。）の方向から見た背面図である。
円盤送り機構２１の詳細構造は次のとおりである。図３及び図４において、揺動腕２６は前方揺動腕２６ａと側板２６ｂと後方揺動腕２６ｃにより細長いコ字状に形成されており、これが前支柱１５とケース１にまたがって揺動自在に支持されている。前方揺動腕２６ａと後方揺動腕２６ｃの間に架け渡された軸２９に爪２８が回動自在に支持され、爪２８は側板２６ｂに取り付けられたばね３０（図４）によって円盤２２の方向に常時付勢されている。２７は揺動腕を揺動させる把手である。
【０００９】
３１は揺動制限部材を示す。揺動制限部材３１の詳細構造は次のとおりである。図４において、ケース１に支持板３２が取り付けられ、支持板３２に揺動調整ねじ３３と支柱３４が取り付けられている。後方揺動腕２６ｃと一体的にＬ字部２６ｄが形成され、揺動調整ねじ３３はＬ字部２６ｄの揺動に対するストッパとして働く。揺動調整ねじ３３を回動させることにより揺動腕２６の揺動角を精密に微調整することができる。Ｌ字部２６ｄには支柱３４を貫通させる穴が設けられ、支柱３４には復元ばね３５が嵌挿されている。把手２７を押し下げるとＬ字部２６ｄが揺動調整ねじ３３の頭部に当接して、揺動は停止する。把手２７を放すと、復元ばね３５の復元力によって揺動腕２６は時計方向（図４）に揺動し、Ｌ字部２６ｄが支柱３４の頭部に当接して揺動が停止する。
【００１０】
爪２８が円盤の歯を１ピッチずつ送る態様を図５（ａ）〜（ｄ）について説明する。爪２８はばね３０によって常時時計方向に付勢されているので、医師が把手２７を押し下げると、爪２８の先端が歯▲３▼と歯▲２▼の間の凹所に落ち込み（図５（ｂ））、爪２８の揺動に伴って歯▲２▼を１ピッチだけ回動させる（図５（ｃ））。この図５（ｃ）の時期は、図４においてＬ字部２６ｄが揺動調整ねじ３３の頭部に当接する時期と一致する。医師が指を把手２７から離すと、揺動腕２６は復元ばね３５の復元力によって時計方向に揺動するが、Ｌ字部２６ｄは支柱３４の頭部に当接して停止する（図４）。この期間中、爪２８はばね３０を圧縮しながら歯▲３▼を乗り越えて歯▲４▼の上面に至って停止する（図５（ｄ））。その後は同じ動作を繰り返して円盤２２を１ピッチずつ送って行く。
【００１１】
次に、連続植毛の手順について説明する。
事前の準備として、後頭部等のように毛髪が密生している部分から毛髪を採取し、これを１本ないし３本程度にばらばらにしておく。図１において、円盤２２をケース１から取り外して毛髪をすべての穴２３の中に入れた後、円盤２２を再びケース１に取り付ける。
他方、図６は図２のＢ部の説明的拡大図であり、患者の頭皮に穴あけ用の特殊メスにより多数の穴を予め穿設しておく。穴の深さは真皮の下部ないし脂肪層の上部に達する深さが望ましい。
医師が連続植毛機の針１７の先端を頭皮に穿けた穴に挿入し、トリガー５を引くとプッシュ・ロッド７が前進して毛髪Ｈを押し進め、押え片１３もプッシュ・ロッド７の前進に連動して針１７に沿って前進する。医師が押え片１３を表皮に当接すると連続植毛機の位置が安定し、このとき、毛髪Ｈはプッシュ・ロッド７により針１７の外へ押し出されて、その毛根が脂肪層ないしはその近傍に植毛される。
医師がトリガー５を放すと、トリガー５は引張りばね６に牽引されて時計方向に揺動して図１の位置に復帰する。ロッド１２もばね１４の復元力により右方向へ移動して押え片１３は大径部１９に当接する。毛髪Ｈはプッシュ・ロッド７により押し出されるときに圧縮されるが、針１７が穴から引き抜かれると、植毛された毛髪は自身の有する弾力により穴の中でほぼ直線状に復元する。
【００１２】
次に、医師が揺動腕２６の把手２７を下方へ押すと、爪２８が円盤２２の歯▲２▼を丁度１ピッチ回動させた時に揺動腕２６のＬ字部２６ｄが揺動調整ねじ３３に当接して円盤２２の回動が停止する（図４及び図５（ａ）〜（ｄ）参照）。
医師が揺動腕２６の把手２７を放すと、支柱３４（図４）に嵌挿された復元ばね３５の復元力により揺動腕２６を図４の位置に復帰させる。揺動腕２６の揺動に伴って、爪２８は歯▲３▼を乗り越えて、図５（ｄ）に示すとおり、歯▲４▼の歯先上に復帰する。
以上に述べた手順を繰り返すことにより、毛髪Ｈを次々と頭皮に植毛することができる（図６）。
【００１３】
【発明の効果】
円盤２２はケース１の外部に設けてあるので、円盤２２に毛髪収納用の穴２３、２３・・・を多数あけることができ、したがって多数の毛髪を連続的に高速度で植毛することができる。
【図面の簡単な説明】
【図１】本発明の連続植毛機の一実施例を示す断面図であり、プッシュ・ロッドが後退位置にある状態を示す。
【図２】本発明の連続植毛機の一実施例を示す断面図であり、プッシュ・ロッドが前進位置にある状態を示す。
【図３】本発明の連続植毛機の一実施例の正面図である。
【図４】図１において矢印Ａの方向から視た背面図である。
【図５】（ａ）〜（ｄ）は円盤送り機構の爪と円盤の歯の位置的関係を示す説明図である。
【図６】頭皮の断面と針の位置的関係を示す説明図である。
【符号の説明】
１  ケース
５  トリガー
７  プッシュ・ロッド
１３  押え片
１７  針
１８  先端部
２１  円盤送り機構
２２  円盤
２３  穴
２４  歯
【図１】
0003620020.tif 000002
【図２】
0003620020.tif 000003
【図３】
0003620020.tif 000004
【図４】
0003620020.tif 000005
【図５】
0003620020.tif 000006
【図６】
0003620020.tif 000007